(57)【要約】【課題】簡単な装置で、腕を使っての作業を効率的に行ない、かつ肉体的疲労を軽減することができる腕の疲労軽減装置であって、▲１▼腕の長さの異なる不特定の人に対応させることができ、▲２▼腕を載置するためのまくら手段を必要に応じて取り外すことができ、▲３▼腕を載置するためのまくら手段の高さをより簡便に上下に調整可能とでき、▲４▼薬液への浸漬作業の肉体的疲労を効果的に軽減し、かつ▲５▼高い場所にある枝の枝切りなどの作業の肉体的疲労を効果的に軽減する装置を提供する。【解決手段】作業者の腕を載置する載置部材と該載置部材を下方から支持するアーム部を有するサポート部材からなるまくら手段と、該まくら手段を支持する支持手段と、該支持手段を作業者に装着するための装着手段とを有し、前記載置部材が前記支持手段に接離自在とされることにより、前記載置部材に載置される作業者の腕の長さに合わせて該載置部材の前後方向の位置を調整できるようにした。【選択図】  図１
2004298971.tif 000002
【特許請求の範囲】
【請求項１】
作業者の腕を載置する載置部材と該載置部材を下方から支持するアーム部を有するサポート部材からなるまくら手段と、該まくら手段を支持する支持手段と、該支持手段を作業者に装着するための装着手段とを有し、前記載置部材が前記支持手段に接離自在とされることにより、前記載置部材に載置される作業者の腕の長さに合わせて該載置部材の前後方向の位置を調整できるようにしたことを特徴とする腕の疲労軽減装置。
【請求項２】
前記サポート部材の下端部には凹溝が形成され、該凹溝に該支持手段が着脱自在に挿通され該まくら手段が上下方向に摺動停止せしめられることにより、該まくら手段が上下動自在かつ該支持手段に着脱自在に取りつけられていることを特徴とする請求項１記載の腕の疲労軽減装置。
【請求項３】
基台と該基台に支持され被薬液浸漬物が浸漬される薬液を内側に収容する薬液収容体とからなる薬液収容器と、該薬液収容器を保持するための薬液収容器保持部材を介して該薬液収容器を支持する支持手段と、該支持手段を作業者に装着するための装着手段とを有し、前記薬液収容体が上下動せしめられることにより、被薬液浸漬物を該薬液に浸漬することができるようにしたことを特徴とする腕の疲労軽減装置。
【請求項４】
前記薬液収容器が、ハンドル部材と該ハンドル部材を回すことによって回転せしめられる平歯車部材を有する基台と、該基台に支持され周面に直線運動をするラック部材を有し内側に薬液を収容する薬液収容体と、からなり、前記平歯車部材と前記ラック部材とを組み合わせることにより前記薬液収容体が上下動せしめられることを特徴とする請求項３記載の腕の疲労軽減装置。
【請求項５】
前記薬液収容器が、上端部に一対の滑車部材を有しかつ該滑車部材に掛架せしめられるロープ部材を有する基台と、該基台に支持され内側に薬液を収容する薬液収容体と、からなり、前記滑車部材を介して前記薬液収容体の底部を支持するように周回せしめられた前記ロープ部材を緊張又は弛緩せしめることにより前記薬液収容体が上下動せしめられることを特徴とする請求項３記載の腕の疲労軽減装置。
【請求項６】
前記薬液収容器が、基台と、該基台に支持され内側に薬液を収容する薬液収容体と、少なくとも一つの平行四辺形を形成するように対偶で連結されたパンタグラフ状昇降棒と、からなり、前記パンタグラフ状昇降棒の支点部を前記基台に軸着し、その支点部と向かい合う交点部に前記薬液収容体を軸着し、該平行四辺形を広狭自在に変化させることにより、前記薬液収容体が上下動せしめられることを特徴とする請求項３記載の腕の疲労軽減装置。
【請求項７】
前記薬液収容器保持部材の下端部には凹溝が形成され、該凹溝に該支持手段が着脱自在に挿通され該薬液収容器が上下方向に摺動停止せしめられることにより、該薬液収容器が上下動自在かつ該支持手段に着脱自在に取りつけられていることを特徴とする請求項３〜６いずれか１項記載の腕の疲労軽減装置。
【請求項８】
作業者の腕を載置する載置部材と該載置部材を下方から支持するアーム部を有するサポート部材からなるまくら手段を前記薬液収容器保持部材又は前記支持手段に着脱自在に取りつけたことを特徴とする請求項３〜７いずれか１項記載の腕の疲労軽減装置。
【請求項９】
作業者の腕を載置する載置部材と該載置部材を下方から支持するアーム部と伸縮可能かつ固定可能な伸縮固定サポート部材からなるまくら手段と、該伸縮固定サポート部材を作業者に装着するための装着手段とを有し、前記伸縮固定サポート部材を伸縮せしめることにより、前記載置部材の位置を上下に無段階で調整可能としたことを特徴とする腕の疲労軽減装置。
【請求項１０】
前記装着手段が少なくとも１つの長孔を有する支持具を有し、該支持具の長孔に前記伸縮固定サポート部材の一端部が該長孔内を摺動可能に係合されることにより、前記載置部材に載置される作業者の腕の長さに合わせて腕の前後方向に該載置部材の位置を調整できるようにしたことを特徴とする請求項９記載の腕の疲労軽減装置。
【請求項１１】
作業者に装着される装着手段と、該装着手段に一端部が取りつけられる支持棒と該支持棒の他端部に回動可能に枢着される剪定部材とからなる剪定手段と、を有し、前記剪定手段によって高所の被剪定物を剪定することができるようにしたことを特徴とする腕の疲労軽減装置。
【請求項１２】
前記支持棒が、所望の位置で固定可能かつ伸縮可能な伸縮固定サポート部材を有し、前記剪定手段の位置を上下に無段階で調整可能としたことを特徴とする請求項１１記載の腕の疲労軽減装置。
【請求項１３】
剪定部材と該剪定部材を回動可能に枢着する支持棒とを有する剪定手段と、該剪定手段を支持する支持手段と、該支持手段を作業者に装着するための装着手段とを有し、該支持棒の下端部には凹溝が形成され、該凹溝に該支持手段が着脱自在に挿通され該支持棒が上下方向に摺動停止せしめられることにより、該剪定手段が上下動自在かつ該支持手段に着脱自在に取りつけられていることを特徴とする腕の疲労軽減装置。
【請求項１４】
前記アーム部が水平方向に回動伸縮自在に固定可能とされることにより、前記載置部材の位置を水平方向に調整可能としたことを特徴とする請求項１，２，８〜１０いずれか１項記載の腕の疲労軽減装置。
【発明の詳細な説明】
【０００１】
【産業上の利用分野】
本発明は、腕を上下左右方向に繰り返し、かつ一定箇所で保持しながら作業をする場合の疲労を軽減し、生産効率を上げ、コストを低減する腕の疲労軽減装置に関するものである。
【０００２】
【関連技術】
周知の如く手作業、特に腕を動かす作業には、壁の塗装、果実の採取、果実の袋かけ等がある。このような作業を行なう場合、通常はハシゴ、脚立等に登って不安定な姿勢で作業を行なうことが多い。
【０００３】
このように不安定な姿勢で長時間作業をしていると、腕の疲労による作業能率が低下するばかりでなく、作業終了後においても肩凝り等で肉体の苦痛を伴うものである。他の各種の作業の大多数は機械化により作業能率を高めるよう解決されているが、今でも人力に依存する分野が多く存在するものであり、従来においては上述した作業については何ら解決策がなかった。
【０００４】
そこで、本願出願人は、特許文献１に記載される腕の疲労軽減装置を提案した。この腕の疲労軽減装置は簡単な装置でもって長時間作業をしていても肉体的疲労が緩和され、作業能率が向上するとして好評を得ている。
【０００５】
しかし、このような従来の腕の疲労軽減装置では、腕の長さの異なる不特定の人に対応させることができず、また腕を載置するためのまくら手段を必要に応じて取り外すことができないため時として他の仕事の邪魔となる場合があるという難点があり、さらに腕を載置するためのまくら手段の高さをより簡便に上下に調整可能とできる腕の疲労軽減装置の提案が望まれていた。
【０００６】
また、果樹園における果実を薬液に浸漬する作業、特に葡萄の房の粒抜きや種なし葡萄にするための薬液への浸漬作業は、一日中腕を上げての極めて辛い作業であるため、これらの作業の肉体的疲労を効果的に軽減する装置の提案が望まれていた。
【０００７】
さらに、高い場所にある枝の枝切りなどの作業は長時間腕を上げながらの辛い作業であるため、これらの作業の肉体的疲労を効果的に軽減する装置の提案が望まれていた。
【０００８】
【特許文献１】
特許２７２１４３８号公報
【０００９】
【発明が解決しようとする課題】
本発明は上記事情に鑑みてなされたものであり、簡単な装置で、腕を使っての作業を効率的に行ない、かつ肉体的疲労を軽減することができる腕の疲労軽減装置であって、▲１▼腕の長さの異なる不特定の人に対応させることができ、▲２▼腕を載置するためのまくら手段を必要に応じて取り外すことができ、▲３▼腕を載置するためのまくら手段の高さをより簡便に上下に調整可能とでき、▲４▼薬液への浸漬作業の肉体的疲労を効果的に軽減し、かつ▲５▼高い場所にある枝の枝切りなどの作業の肉体的疲労を効果的に軽減する装置を提供することを目的とする。
【００１０】
【課題を解決するための手段】
上記課題を解決するために、本発明の腕の疲労軽減装置の第１の態様は、作業者の腕を載置する載置部材と該載置部材を下方から支持するアーム部を有するサポート部材からなるまくら手段と、該まくら手段を支持する支持手段と、該支持手段を作業者に装着するための装着手段とを有し、前記載置部材が前記支持手段に接離自在とされることにより、前記載置部材に載置される作業者の腕の長さに合わせて該載置部材の前後方向の位置を調整できるようにしたことを特徴とする。
【００１１】
前記載置部材が前記支持手段に接離自在とされる構成としては、前記載置部材の下端部に長孔が形成され、該長孔に前記サポート部材が摺動固定可能に係合されることにより該載置部材が該支持手段に接離自在とされる構成を採用することができる。
【００１２】
また、前記載置部材が前記支持手段に接離自在とされる構成として、前記サポート部材がアーム部と下部柱部とを有するように構成され、該アーム部の下端部に長孔が形成され、該長孔に該下部柱部の上端部が摺動固定可能に係合されることにより該載置部材が該支持手段に接離自在とされる構成を採用することができる。
【００１３】
さらに、前記載置部材が前記支持手段に接離自在とされる構成として、前記サポート部材がアーム部と下部柱部とを有するように構成され、該アーム部の下端部に長孔が形成され、該長孔に該下部柱部の上端部が摺動固定可能に係合され、且つ前記載置部材の下端部に長孔が形成され、該長孔に前記サポート部材が摺動固定可能に係合されることにより該載置部材が該支持手段に接離自在とされる構成を採用することも可能である。
【００１４】
このようにすれば、腕の長さが異なる不特定の人の腕の長さに合わせて前記した載置部材の位置を自在に調整することができる。
【００１５】
また、前記サポート部材の下端部に凹溝を形成し、該凹溝に該支持手段が着脱自在に挿通され該まくら手段が上下方向に摺動停止可能とすれば、該まくら手段を必要に応じて該支持手段から簡単に取り外すことができ、またこの取り外したまくら手段を再度取りつけることが簡単にできるので、好適である。前記まくら手段を取り外した場合には、後述する薬液収容器や剪定手段をその代わりに取りつけることが可能である。
【００１６】
実際の作業においては前記まくら手段をつけたままだと他の作業の邪魔になることがあるが、このようにまくら手段を簡単に着脱可能な構成とすれば、必要に応じて取り外したり取りつけたりすることができる。また、前記した本発明の腕の疲労軽減装置を梱包する際や格納する際にもまくら手段を取り外してコンパクトにまとめることができるので都合がよい。
【００１７】
本発明の腕の疲労軽減装置の第２の態様は、基台と該基台に支持され被薬液浸漬物が浸漬される薬液を内側に収容する薬液収容体とからなる薬液収容器と、該薬液収容器を保持するための薬液収容器保持部材を介して該薬液収容器を支持する支持手段と、該支持手段を作業者に装着するための装着手段とを有し、前記薬液収容体が上下動せしめられることにより、被薬液浸漬物を該薬液に浸漬することができるようにしたことを特徴とする。
【００１８】
従来は、果樹園における果実を薬液に浸漬する作業、特に葡萄の房の粒抜きや種なし葡萄にするための薬液への浸漬作業は一日中腕を上げて行う極めて辛い作業であった。しかし、上述のような構成を採用することにより、腕を上方に挙げることなく果実を薬液に浸漬する作業を容易に行うことができるので、作業者の腕の疲労が著しく軽減される。
【００１９】
前記した薬液収容器としては、ハンドル部材と該ハンドル部材を回すことによって回転せしめられる平歯車部材を有する基台と、該基台に支持され周面に直線運動をするラック部材を有し内側に薬液を収容する薬液収容体と、からなり、前記平歯車部材と前記ラック部材とを組み合わせることにより前記薬液収容体が上下動せしめられる構成とするのが好ましい。
【００２０】
また、前記薬液収容器が、上端部に一対の滑車部材を有しかつ該滑車部材に掛架せしめられるロープ部材を有する基台と、該基台に支持され内側に薬液を収容する薬液収容体と、からなり、前記滑車部材を介して前記薬液収容体の底部を支持するように周回せしめられた前記ロープ部材を緊張又は弛緩せしめることにより前記薬液収容体が上下動せしめられる構成とすることも可能である。
【００２１】
さらに、前記薬液収容器が、基台と、該基台に支持され内側に薬液を収容する薬液収容体と、少なくとも一つの平行四辺形を形成するように対偶で連結されたパンタグラフ状昇降棒と、からなり、前記パンタグラフ状昇降棒の支点部を前記基台に軸着し、その支点部と向かい合う交点部に前記薬液収容体を軸着し、該平行四辺形を広狭自在に変化させることにより、前記薬液収容体が上下動せしめられる構成とすることも可能である。
【００２２】
前記薬液収容器保持部材の下端部に凹溝を形成し、該凹溝に該支持手段が着脱自在に挿通され前記薬液収容器が上下方向に摺動停止可能とすれば、該薬液収容器を必要に応じて該支持手段から簡単に取り外すことができ、またこの取り外した薬液収容器を再度取りつけることが簡単にできるので、さらに好適である。前記薬液収容器を取り外した場合には、第１の態様において凹溝が下端部に形成されたサポート部材を有する前記まくら手段を代わりに取りつけることができる。
【００２３】
すなわち、第１の態様における支持手段及び装着手段と第２の態様における支持手段及び装着手段とを兼用して用いることができるので、作業者は必要に応じて第１の態様におけるまくら手段と前記した薬液収容器とを適宜選択して取りつけることが可能であり、大変便利であるのみならず、製造コストも低減されるという利点がある。
【００２４】
さらに、  作業者の腕を載置する載置部材と該載置部材を下方から支持するアーム部を有するサポート部材からなるまくら手段を前記薬液収容器保持部材又は前記支持手段に着脱自在に取りつけるようにすれば、該まくら手段を必要に応じて簡単に取りつけたり取り外したりすることができるので、より好ましい。
【００２５】
本発明の第３の態様は、作業者の腕を載置する載置部材と該載置部材を下方から支持するアーム部と伸縮可能かつ固定可能な伸縮固定サポート部材からなるまくら手段と、該伸縮固定サポート部材を作業者に装着するための装着手段とを有し、前記伸縮固定サポート部材を伸縮せしめることにより、前記載置部材の位置を上下に無段階で調整可能としたことを特徴とする。
【００２６】
このようにすれば、前記した載置部材の位置を上下に無段階で調整可能とすることができるのでより好ましい。
【００２７】
また、前記した支持手段が少なくとも１つの長孔を有する支持具を有し、該支持具の長孔に前記伸縮固定サポート部材の一端部が該長孔内を摺動可能に係合されるようにすれば、前記載置部材に載置される作業者の腕の長さに合わせて腕の前後方向に該載置部材の位置を調整できるので、腕の長さが異なる不特定の人の腕の長さに合わせて前記した載置部材の位置を自在に調整することができるので好適である。
【００２８】
本発明の腕の疲労軽減装置の第４の態様は、作業者に装着される装着手段と、該装着手段に一端部が取りつけられる支持棒と該支持棒の他端部に回動可能に枢着される剪定部材とからなる剪定手段と、を有し、前記剪定手段によって高所の被剪定物を剪定することができるようにしたことを特徴とする。
【００２９】
このような構成を採用することにより、長時間腕を上げながらの作業であった高い枝の枝切りなどの作業において、腕を肩よりも上に挙げることなく作業を行うことができるので、作業者の腕の疲労が著しく軽減されることとなる。
【００３０】
また、前記支持棒が、所望の位置で固定可能かつ伸縮可能な伸縮固定サポート部材を有し、前記剪定手段の位置を上下に無段階で調整可能とした構成とすれば、前記剪定手段の位置を上下に無段階で調整可能となるのでなお好ましい。
【００３１】
さらに、剪定部材と該剪定部材を回動可能に枢着する支持棒とを有する剪定手段と、該剪定手段を支持する支持手段と、該支持手段を作業者に装着するための装着手段とを有するように構成し、該支持棒の下端部には凹溝が形成され、該凹溝に該支持手段が着脱自在に挿通され該支持棒が上下方向に摺動停止せしめられる構成とすれば、該剪定手段を必要に応じて該支持手段から簡単に取り外すことができ、またこの取り外した剪定手段を再度取りつけることが簡単にできるので、さらに好適である。前記剪定手段を取り外した場合には、第１の態様における前記まくら手段或いは第２の態様における前記薬液収容器をその代わりに取りつけることができる。
【００３２】
すなわち、第１の態様における支持手段及び装着手段、第２の態様における支持手段及び装着手段並びに第４の態様における支持手段及び装着手段とは兼用して用いることが可能であり、作業者は必要に応じて第１の態様におけるまくら手段、第２の態様における薬液収容器或いは第４の態様における剪定手段とを適宜選択して取りつけることが可能であり、大変便利であるのみならず、製造コストも低減されるという利点がある。
【００３３】
また、本発明の第１の態様〜第４の態様において、前記したアーム部が水平方向に回動伸縮自在に固定可能とされることにより、前記載置部材の位置を水平方向に調整可能とすれば、作業者が二の腕を様々な方向に動かしても腕が前記載置部材に載置されるのでなお好適である。
【００３４】
上述した構成を採用することにより、建設作業の天井壁の塗装、釘打ち、天井への絵付け、高い枝の枝切りなどの剪定作業或いは葡萄、りんご、梨等の果実の収穫、袋かけ、消毒、薬液浸漬作業等の高い位置での手作業において、長時間腕を使用していても疲れることはなく、肉体的疲労が緩和され、作業能率が向上する。
【００３５】
【発明の実施の形態】
以下に本発明の実施の形態を添付図面に基づいて説明するが、図示例は例示的に示されるもので、本発明の技術思想から逸脱しない限り種々の変形が可能なことはいうまでもない。また、添付図面中、類似又は同一部材は同一符号を用いることがある。
【００３６】
図１は本発明の腕の疲労軽減装置の第１の実施の形態を示す側面図、図２は本発明の腕の疲労軽減装置の第１の実施の形態を示す正面図、図３は本発明の腕の疲労軽減装置の第１の実施の形態を示す背面図、図４は図１の要部拡大図であって、（ａ）はまくら手段が摺動可能な状態、（ｂ）はまくら手段が停止している状態をそれぞれ示す。
【００３７】
図５は図４（ａ）のＶ−Ｖ線断面図、  図６は本発明の腕の疲労軽減装置の第２の実施の形態を示す側面図、図７は本発明の腕の疲労軽減装置の第２の実施の形態を示す正面図、図８は本発明の薬液収容器の一つの例を示す斜視図、図９は本発明の薬液収容器の一つの例を示す正面図、図１０は図９の平面図、図１１は本発明の薬液収容器の他の例を示す正面図である。
【００３８】
図１２は本発明の腕の疲労軽減装置の第３の実施の形態を示す側面図、図１３は本発明の腕の疲労軽減装置の第３の実施の形態を示す正面図、図１４は本発明の薬液収容器の別の例を示す説明図であって、（ａ）は薬液収容体が下がっている状態、（ｂ）は薬液収容体が（ａ）よりも上がった状態、（ｃ）は薬液収容体が（ｂ）よりも上がった状態をそれぞれ示す。
【００３９】
図１５は本発明の薬液収容器の別の例を示す平面図、図１６は本発明の腕の疲労軽減装置の第４の実施の形態を示す側面図、図１７は本発明の腕の疲労軽減装置の第４の実施の形態を示す正面図、図１８は本発明の腕の疲労軽減装置の第５の実施の形態を示す側面図、図１９は本発明の腕の疲労軽減装置の第５の実施の形態を示す正面図、図２０は図１８の要部拡大説明図、図２１は本発明の腕の疲労軽減装置の第６の実施の形態を示す正面図、図２２は本発明の腕の疲労軽減装置の第６の実施の形態を示す背面図、図２３は本発明の腕の疲労軽減装置の第６の実施の形態を示す側面図、図２４は図２３のＸＸＩＶ部分拡大図であって（ａ）は支持具に穿孔及び長孔を設けた場合、（ｂ）は支持具に長孔を２つ平行に設けた場合をそれぞれ示す。図２５は本発明の腕の疲労軽減装置の第６実施の形態を示す平面図であって、（イ）は腕が標準的大きさの場合、（ロ）は腕が比較的小さい場合、（ハ）は腕が比較的大きい場合をそれぞれ示す。
【００４０】
図２６は本発明の腕の疲労軽減装置の第７の実施の形態を示す正面図、図２７は図２６のＸＸＶＩＩ部分拡大図、図２８は本発明の腕の疲労軽減装置の第７の実施の形態を示す側面図、図２９は図２８のＸＸＩＸ部分拡大図、図３０は本発明の腕の疲労軽減装置の第７の実施の形態を示す背面図、図３１は本発明の腕の疲労軽減装置の第８の実施の形態を示す正面図、図３２は本発明の腕の疲労軽減装置の第８の実施の形態を示す側面図、図３３は図３２のＸＸＸＩＩＩ部分拡大図、図３４は図３２のＸＸＸＩＶ部分拡大図、図３５は本発明の腕の疲労軽減装置の第９の実施の形態を示す正面図、図３６は本発明の腕の疲労軽減装置の第９の実施の形態を示す側面図である。
【００４１】
本発明の第１の実施の形態を添付図面図１〜５に基づいて説明する。
【００４２】
図１〜５において、符号１０Ａは本発明の腕の疲労軽減装置を示す。該疲労軽減装置１０Ａは、  作業者Ｗの腕１２ａ，１２ｂを載置する載置部材１４ａ，１４ｂと、該載置部材１４ａ，１４ｂを下方から支持するアーム部１６Ａと下部柱部１７とを有するサポート部材１８Ａからなるまくら手段２０Ａと、該まくら手段２０Ａを支持する支持手段２２と、該支持手段２２を作業者Ｗに装着するための装着手段２４とを有している。該支持手段２２は装着手段２４に取りつけられた支持手段固着具２３ａ，２３ｂによって固定されている。
【００４３】
該載置部材１４ａ，１４ｂの下端部には長孔２６ａ，２６ｂが形成されており、該長孔２６ａ，２６ｂに前記サポート部材１８Ａのアーム部１６Ａの両上端がそれぞれボルト２８ａ，２８ｂ及びナット３０ａ，３０ｂによって該長孔２６ａ，２６ｂ内を摺動固定可能に螺着されることにより、載置される腕１２ａ，１２ｂの前後方向に該載置部材１４ａ，１４ｂが摺動固定可能とされている。
【００４４】
さらに、アーム部１６Ａの下端部には長孔３２が設けられており、下部柱部１７の上端部とアーム部１６Ａの下端部とが蝶ナット３４によって該長孔３２内を摺動固定可能に螺着されている。該長孔３２の上方にはアーム部１６Ａと下部柱部１７とを回動自在に継合する固定回転中心ピン３６が設けられている。アーム部１６Ａの下端部が該長孔３２の範囲内を摺動することにより、該載置部材１４ａ，１４ｂの傾きを変えることができる。このように、載置部材１４ａ，１４ｂが支持手段２２に接離自在とされることにより、作業者Ｗの腕１２ａ，１２ｂの長さに合わせて載置部材１４ａ，１４ｂの前後方向の位置を調整できるようにされている。
【００４５】
図示の例では、載置部材１４ａ，１４ｂの下端部に長孔２６ａ，２６ｂを設け、さらにアーム部１６Ａの下端部にも長孔３２を設けた構成を示したが、載置部材１４ａ，１４ｂが支持手段２２に接離自在とされる構成であればよいもので、例えば、載置部材１４ａ，１４ｂの下端部に長孔２６ａ，２６ｂを設けるのみの構成としたり、アーム部１６Ａの下端部に長孔３２を設けるのみの構成としたりすることができることはもちろんである。
【００４６】
さらに、前記サポート部材１８Ａの下端部、即ち下部柱部１７の下端部には図４及び図５によく示される如く凹溝３８が形成され、該凹溝３８に該支持手段２２が矢印Ａに示されるように着脱自在に挿通されている。
【００４７】
図５に示すように、サポート部材１８Ａが支持手段２２に接していない状態では、まくら手段２０Ａは図４（ａ）に示すように上下方向に摺動可能な状態にあり、まくら手段２０Ａの傾きを変えて図４（ｂ）に示すようにサポート部材１８Ａが支持手段２２に接している状態ではまくら手段２０Ａは停止している状態となる。このようにして、まくら手段２０Ａが上下方向に摺動停止可能とされている。
【００４８】
上述した構成により、腕の疲労軽減装置１０Ａを用いて作業をしている作業者Ｗは、まくら手段２０Ａの位置を上下に任意に変えることにより載置部材１４ａ，１４ｂの位置を上下に調整することができ、載置部材１４ａ，１４ｂが支持手段２２に接離自在とされていることにより、作業者Ｗの腕１２ａ，１２ｂの長さに合わせて載置部材１４ａ，１４ｂの位置を前後方向にも調整することができる。また、まくら手段２０Ａを必要に応じて支持手段２２から簡単に取り外すことができ、この取り外したまくら手段２０Ａを必要に応じて再度取りつけることができる。さらに、まくら手段２０Ａを取り外した場合には、後述する薬液収容器や剪定手段をその代わりに取りつけることが可能である。
【００４９】
次に、本発明の第２の実施の形態を添付図面図６〜図１１に基づいて説明する。
【００５０】
図６及び図７において、符号１０Ｂは本発明の腕の疲労軽減装置を示す。該腕の疲労軽減装置１０Ｂは、作業者Ｗの腕１２ａ，１２ｂを載置する載置部材１４ａ，１４ｂと該載置部材１４ａ，１４ｂを下方から支持するアーム部１６Ｂと下部柱部１７とを有するサポート部材１８Ｂからなるまくら手段２０Ｂと、基台４８と該基台４８に支持され被薬液浸漬物が浸漬される薬液を内側に収容する薬液収容体５２とからなる薬液収容器４０Ａと、該まくら手段２０Ｂ及び薬液収容器４０Ａを支持する支持手段２２と、該支持手段２２を作業者Ｗに装着するための装着手段２４とを有している。該支持手段２２は装着手段２４に取りつけられた支持手段固着具２３ａ，２３ｂによって固定されている。
【００５１】
上述した腕の疲労軽減装置１０Ａの構成と同様に、載置部材１４ａ，１４ｂの下端部には長孔２６ａ，２６ｂが形成されており、該長孔２６ａ，２６ｂに前記サポート部材１８Ｂのアーム部１６Ｂの両上端がそれぞれボルト２８ａ，２８ｂ及びナット３０ａ，３０ｂによって該長孔２６ａ，２６ｂ内を摺動固定可能に螺着されることにより、載置される腕１２ａ，１２ｂの前後方向に該載置部材１４ａ，１４ｂが摺動固定可能とされている。
【００５２】
アーム部１６Ｂの下端部には長孔３２が設けられており、下部柱部１７の上端部とアーム部１６Ｂの下端部とが蝶ナット３４によって該長孔３２内を摺動固定可能に螺着されている。該長孔３２の上方にはアーム部１６Ｂと下部柱部１７とを回動自在に継合する固定回転中心ピン３６が設けられており、アーム部１６Ｂの下端部が該長孔３２の範囲内を摺動することにより、該載置部材１４ａ，１４ｂの傾きを変えることが可能とされている。このように、載置部材１４ａ，１４ｂが支持手段２２に接離自在とされることにより、作業者Ｗの腕１２ａ，１２ｂの長さに合わせて載置部材１４ａ，１４ｂの前後方向の位置を調整できるようにされている。
【００５３】
前記薬液収容器保持部材４２Ａの下端部には上述した図４及び図５によく示される構成と同様に、凹溝３８が形成され、該凹溝３８に該支持手段２２が矢印Ａに示されるように着脱自在に挿通されており、該薬液収容器４０Ａ及びまくら手段２０Ｂが上下方向に摺動停止可能とされている。これにより、作業者Ｗが該薬液収容器４０Ａ及びまくら手段２０Ｂを必要に応じて支持手段２２から簡単に取り外すことができ、この取り外した薬液収容器４０Ａ及びまくら手段２０Ｂを必要に応じて再度取りつけることができる。
【００５４】
前記サポート部材１８Ｂの下部柱部１７には薬液収容器保持部材４２Ａを介して基台４８が取りつけられることにより、薬液収容器４０Ａが保持されている。薬液収容器４０Ａは、図８〜図１０によく示される如く、ハンドル部材４４と該ハンドル部材４４を回すことによって回転せしめられる平歯車部材４６を有する基台４８と、該基台４８に支持され周面に直線運動をするラック部材５０を有し内側に薬液を収容する薬液収容体５２と、から構成されている。
【００５５】
この構成により、平歯車部材４６とラック部材５０とを組み合わせることにより薬液収容体５２が上下動せしめられるので、例えばジベレリンなどの薬液を薬液収容体５２に入れておき、ハンドル部材４４を回すと薬液収容体５２が上下動せしめられ、例えば果実などの被薬液浸漬物が薬液に浸漬されることになる。これにより、従来は、極めて辛い作業であった果樹園における果実を薬液に浸漬する作業、例えば葡萄の房の粒抜きや種なし葡萄にするための薬液への浸漬作業において、作業者の腕の疲労が効果的に軽減される。
【００５６】
また、薬液収容器としては、上記した薬液収容器４０Ａの他にも、例えば図１１に示す構成とすることも可能である。図１１において、符号４０Ｂは、薬液収容器であり、該薬液収容器４０Ｂは、上端部に一対の滑車部材５４ａ，５４ｂを有しかつ該滑車部材５４ａ，５４ｂに掛架せしめられるロープ部材５６を有する基台５８と、該基台５８に支持され内側に薬液を収容する薬液収容体６０と、を有している。
【００５７】
このようにして、滑車部材５４ａ，５４ｂを介して薬液収容体６０の底部を支持するように周回せしめられたロープ部材５６を緊張せしめると薬液収容体６０が上方に移動し、ロープ部材５６を弛緩せしめると薬液収容体６０が下方に移動する。例えばジベレリンなどの薬液を薬液収容体６０に入れておき、ロープ部材５６を緊張させると薬液収容体６０が上方に移動し、例えば果実などの被薬液浸漬物が薬液に浸漬されることになる。
【００５８】
次に、本発明の第３の実施の形態を添付図面図１２〜図１５に基づいて説明する。
【００５９】
薬液収容器としては、上記した薬液収容器４０Ａ，４０Ｂの他にも、例えば図１２〜図１５に示す構成のものを使用することもできる。薬液収容器の別の例を用いた腕の疲労軽減装置の例を図１２〜図１５に示す。図１２〜図１５において、符号１０Ｃは、腕の疲労軽減装置を示す。
【００６０】
この腕の疲労軽減装置１０Ｃは、薬液収容器４０Ｃと、該薬液収容器４０Ｃを保持するための薬液収容器保持部材４２Ｂを介して該薬液収容器４０Ｃを着脱自在に支持する支持手段２２と、該支持手段２２を作業者Ｗに装着するための装着手段２４とを有している。該支持手段２２は装着手段２４に取りつけられた支持手段固着具２３ａ，２３ｂによって固定されている。
【００６１】
該薬液収容器４０Ｃは、基台６２と、該基台６２に支持され内側に薬液を収容する薬液収容体６４と、少なくとも一つの平行四辺形Ｐを形成するように対偶で連結されたパンタグラフ状昇降棒６６と、から構成されている。
【００６２】
パンタグラフ状昇降棒６６の支点部６８は基台６２に回動自在に軸着されており、その支点部６８と向かい合う交点部７０が薬液収容体６４に回転自在に軸着されており、該平行四辺形Ｐを図１４に示すように広狭自在に変化させることにより、薬液収容体６４が上下動せしめられる。図１４（ａ）の状態からパンタグラフ状昇降棒６６を矢印の方向に下ろすと図１４（ｂ）に示す状態となり、薬液収容体６４が上に移動する。図１４（ｂ）の状態からさらにパンタグラフ状昇降棒６６を下ろすと図１４（ｃ）の状態となり、薬液収容体６４がさらに上に移動する。
【００６３】
このようにして、パンタグラフ状昇降棒６６を上下させることにより、薬液収容体６４が上下動するので、例えばジベレリンなどの薬液を薬液収容体６４に入れておき、パンタグラフ状昇降棒６６を下げると薬液収容体６４が上方に移動し、例えば果実などの被薬液浸漬物が薬液に浸漬されることになる。
【００６４】
また、上述した薬液収容器４０Ａ，４０Ｂ及び４０Ｃを取り外した場合には、前記したまくら手段２０Ａを代わりに取りつけることが可能である。即ち、支持手段２２及び装着手段２４を兼用して用いることができるので、作業者Ｗは必要に応じてまくら手段２０Ａと薬液収容器４０Ａ，４０Ｂ，４０Ｃとを適宜選択して取りつけることが可能であり、大変便利であるのみならず、製造コストも低減されるという利点がある。
【００６５】
次に、上述した第３の実施の形態にまくら手段を組み合わせた実施の形態を本発明の第４の実施の形態として添付図面図１６及び図１７に示す。図中、１０Ｄは本発明の腕の疲労軽減装置の第４の実施の形態を示す。
【００６６】
この腕の疲労軽減装置１０Ｄは、作業者Ｗの腕１２ａ，１２ｂを載置する載置部材１４ａ，１４ｂと、該載置部材１４ａ，１４ｂを下方から支持するアーム部１６Ｃを有するサポート部材１８Ｃとからなるまくら手段２０Ｃと、薬液収容器４０Ｃと、該薬液収容器４０Ｃを保持するための薬液収容器保持部材４２Ｃを介して該まくら手段２０Ｃ及び該薬液収容器４０Ｃを着脱自在に支持する支持手段２２と、該支持手段２２を作業者Ｗに装着するための装着手段２４とを有している。該支持手段２２は装着手段２４に取りつけられた支持手段固着具２３ａ，２３ｂによって固定されている。
【００６７】
上述した腕の疲労軽減装置１０Ａ及び１０Ｂの構成と同様に、載置部材１４ａ，１４ｂの下端部には長孔２６ａ，２６ｂが形成されており、該長孔２６ａ，２６ｂに前記サポート部材１８Ｃのアーム部１６Ｃの両上端がそれぞれボルト２８ａ，２８ｂ及びナット３０ａ，３０ｂによって該長孔２６ａ，２６ｂ内を摺動固定可能に螺着されることにより載置部材１４ａ，１４ｂが支持手段２２に接離自在とされることにより、載置される腕１２ａ，１２ｂの前後方向に該載置部材１４ａ，１４ｂが摺動固定可能とされている。
【００６８】
前記サポート部材１８Ｃは薬液収容器保持部材４２Ｃに取りつけられており、該薬液収容器保持部材４２Ｃの下端部には上述した図４及び図５によく示される構成と同様にして、凹溝３８が形成され、該凹溝３８に該支持手段２２が矢印Ａに示されるように着脱自在に挿通されており、該薬液収容器４０Ｃ及びまくら手段２０Ｃが上下方向に摺動停止可能とされている。これにより、作業者Ｗが薬液収容器４０Ｃ及びまくら手段２０Ｃを必要に応じて支持手段２２から簡単に取り外すことができ、この取り外した薬液収容器４０Ｃ及びまくら手段２０Ｃを必要に応じて再度取りつけることができる。
【００６９】
上述した薬液収容器４０Ａ，４０Ｂ，４０Ｃを使って作業をしていると、まくら手段が作業の邪魔になったり、また必要になったりすることが屡々ある。そこで、まくら手段のみが着脱自在とされている構成としておけば、必要に応じてまくら手段を簡単に取り外すことができ、またこの取り外したまくら手段を再度取りつけることが簡単にできるので、より望ましい。
【００７０】
そこで、上述したまくら手段のみを着脱自在とした構成を、本発明の第５の実施の形態として、図１８〜図２０に示す。まくら手段を着脱自在とする構成は種々考えられるが、その１つの例を図１８〜図２０に示した。図１８〜図２０において、符号１０Ｅは本発明の腕の疲労軽減装置の第５の実施の形態を示す。
【００７１】
腕の疲労軽減装置１０Ｅは、作業者Ｗの腕１２ａ，１２ｂを載置する載置部材１４ａ，１４ｂと、該載置部材１４ａ，１４ｂを下方から支持する第一アーム部７２ａ及び第二アーム部７２ｂとからなるアーム部１６Ｄと切り欠き部７４を有する下部柱部７６とを有するサポート部材１８Ｄからなるまくら手段２０Ｄと、薬液収容器４０Ｃと、薬液収容器保持部材４２Ｄを介して該まくら手段２０Ｄ及び薬液収容器４０Ｃを支持する支持手段２２と、該支持手段２２を作業者Ｗに装着するための装着手段２４とを有している。該支持手段２２は装着手段２４に取りつけられた支持手段固着具２３ａ，２３ｂによって固定されている。
【００７２】
載置部材１４ａ，１４ｂの下端部には長孔２６ａ，２６ｂが形成されており、該長孔２６ａ，２６ｂに前記サポート部材１８Ｄの第一アーム部７２ａ及び第二アーム部７２ｂの一端部がそれぞれボルト２８ａ，２８ｂ及びナット３０ａ，３０ｂによって摺動固定可能に係合され載置部材１４ａ，１４ｂが支持手段２２に接離自在とされることにより、載置される腕１２ａ，１２ｂの前後方向に該載置部材１４ａ，１４ｂが摺動固定可能に支持されている。
【００７３】
前記サポート部材１８Ｄの下端部、即ち下部柱部７６は図２０によく示される如く切り欠き部７４を有しており、該切り欠き部７４には前記した薬液収容器４０Ｃを保持する薬液収容器保持部材４２Ｄに設けられた凸部８０が係合せしめられ、下部柱部７６の下端部に設けられた突端部８２が薬液収容器保持部材４２Ｄに設けられた凹部７８へと係合せしめられる（図２０（イ）〜（ニ））。
【００７４】
凹溝３８には支持手段２２が着脱自在に挿通されており、薬液収容器４０Ｃ及びまくら手段２０Ｄが上下方向に摺動停止可能とされている。このようにして、作業者Ｗがまくら手段２０Ｄ及び薬液収容器４０Ｃを必要に応じて支持手段２２から簡単に取り外すことができ、この取り外したまくら手段２０Ｄ及び薬液収容器４０Ｃを必要に応じて再度取りつけることができるのみならず、まくら手段２０Ｄのみを薬液収容器保持部材４２Ｄから簡単に取り外すことができ、この取り外したまくら手段２０Ｄを必要に応じて再度取りつけることができる。
【００７５】
なお、図示の例では、前記サポート部材１８Ｄを薬液収容器保持部材４２Ｄに取りつけた構成を示したが、サポート部材１８Ｄの下端部に凹溝３８を形成して該支持手段２２が該凹溝３８に着脱自在に挿通されるようにし、該まくら手段２０Ｄが支持手段２２に着脱自在に取りつけられる構成とすることができることはいうまでもない。
【００７６】
もちろん、上述したまくら手段２０Ｄ及び薬液収容器４０Ｃを取り外した場合には、前記したまくら手段２０Ａや薬液収容器４０Ａ，４０Ｂを代わりに取りつけることが可能である。即ち、支持手段２２及び装着手段２４を兼用して用いることができるので、作業者Ｗは必要に応じてまくら手段２０Ｄ及び薬液収容器４０Ｃとまくら手段２０Ａ，薬液収容器４０Ａ，４０Ｂとを適宜選択して取りつけることが可能であり、大変便利であるのみならず、製造コストも低減されるという利点がある。
【００７７】
次に、本発明の第６の実施の形態を図２１〜図２５に基づき説明する。
【００７８】
図２１〜図２５において、符号１０Ｆは本発明の腕の疲労軽減装置を示す。該疲労軽減装置１０Ｆは、作業者Ｗの腕１２ａ，１２ｂを載置する載置部材１４ａ，１４ｂと該載置部材１４ａ，１４ｂを下方から支持するアーム部１６Ｅと、該アーム部１６Ｅの下方に設けられ伸縮可能かつ固定可能な伸縮固定サポート部材８４Ａからなるまくら手段２０Ｅと、該伸縮固定サポート部材８４Ａを作業者Ｗに装着するための装着手段２４とを有し、前記伸縮固定サポート部材８４Ａを伸縮せしめることにより、前記載置部材１４ａ，１４ｂの位置を上下に無段階で調整可能とされている。
【００７９】
載置部材１４ａ，１４ｂの下端部には長孔２６ａ，２６ｂが形成されており、該長孔２６ａ，２６ｂにアーム部１６Ｅの両上端がそれぞれボルト２８ａ，２８ｂ及びナット３０ａ，３０ｂによって該長孔２６ａ，２６ｂ内を摺動固定可能に螺着されることにより、載置される腕１２ａ，１２ｂの前後方向に該載置部材１４ａ，１４ｂが摺動固定可能とされている。
【００８０】
前記したアーム部１６Ｅは、図２５によく示されるように、第一アーム部材１１２ａ，１１２ｂと第二アーム部材１１４ａ，１１４ｂとからなっている。該第一アーム部材１１２ａ，１１２ｂと第二アーム部材１１４ａ，１１４ｂにはそれぞれ、穿孔１２２ａ，１２２ｂ及び円弧状長孔１２４ａ，１２４ｂとが開穿されており、それぞれ固定回転中心ピン１１６ａ，１１６ｂ及び蝶ナット１１８ａ，１１８ｂ並びにボルト１２０ａ，１２０ｂとで連結されることにより、水平方向に回動自在とされている。
【００８１】
このようにして、図２５（イ）（ロ）（ハ）（ニ）においてそれぞれ仮想線で示した円の範囲、即ち、作業者Ｗの肩を中心として腕１２ａ，１２ｂが動く範囲に自由に載置部材１４ａ，１４ｂの位置を変更することが可能とされている。例えば、標準的な腕１２ａ，１２ｂの大きさの場合には図２５（イ）に示すように水平方向にアーム部１６Ｅが面一となるようにし、比較的腕１２ａ，１２ｂが小さい場合には図２５（ロ）に示すようにアーム部１６Ｅが円弧状となるように載置部材１４ａ，１４ｂを回動させ、載置部材１４ａ，１４ｂを作業者Ｗに近づけ、比較的腕１２ａ，１２ｂが大きい場合には図２５（ハ）に示すようにアーム部１６Ｅを逆円弧状にして載置部材１４ａ，１４ｂが作業者Ｗから離れるようにすればよい。
【００８２】
また、載置部材１４ａ，１４ｂの形状としては例えば長方形や略扇形のものが使用できその形状に特別の限定はないが、例えば図２５に示すような長方形のものを用いれば、該載置部材１４ａ，１４ｂを水平方向に回動させた際などにどのような態様にも対応でき好ましいため、図示例では長方形のものを示してある。
【００８３】
上述した図２５によく示されるアーム部１６Ｅの回動機構は上記した第１〜第５の実施の形態におけるアーム部にも適用することができることはいうまでもなく、また、後述する実施の形態におけるアーム部にも適用することができることは勿論である。
【００８４】
また、前記した穿孔１２２ａ，１２２ｂ及び円弧状長孔１２４ａ，１２４ｂを第一アーム部材１１２ａ，１１２ｂ及び第二アーム部材１１４ａ，１１４ｂの長手方向にそれぞれ複数個開穿し、作業者Ｗの腕の長さに合わせて第一アーム部材１１２ａ，１１２ｂと第二アーム部材１１４ａ，１１４ｂの適宜位置で固定回転中心ピン１１６ａ，１１６ｂ及び蝶ナット１１８ａ，１１８ｂ並びにボルト１２０ａ，１２０ｂによって連結されるようにすれば、前記アーム部１６Ｅが伸縮自在に調整可能となる。
【００８５】
図２１に示されるように、該アーム部１６Ｅには被係止部８６ａ，８６ｂが設けられており、該被係止部８６ａ，８６ｂには、伸縮固定サポート部材８４Ａの上端部８８ａ，８８ｂがボルト９０，ナット９１によって、係止せしめられている。一方、図２４（ａ）によく示されるように、装着手段２４は穿孔９２及び長孔９４（図示例では円弧状とされている）を有する支持具９６を有しており、該支持具９６の穿孔９２に前記伸縮固定サポート部材８４Ａの下端部９８ａが長孔９４に前記伸縮固定サポート部材８４Ａの下端部９８ｂがそれぞれ固定回転中心ピン１００、蝶ナット１０２及びボルト１０３によって係止せしめられている。
【００８６】
図２３によく示されるように、前記伸縮固定サポート部材８４Ａには、プッシュロッド押し込みバー１０４が取りつけられており、該プッシュロッド押し込みバー１０４を押し下げることにより伸縮固定サポート部材８４Ａが伸びて載置部材１４ａ，１４ｂの位置を上方に移動させる。反対に、伸縮固定サポート部材８４Ａを縮ませる場合には、載置部材１４ａ，１４ｂを押し下げながら載置部材１４ａ，１４ｂに圧力を加えればよい。
【００８７】
この伸縮固定サポート部材８４Ａとしては、例えば、ＫＹＢフリーロック（ＦＬＣ，ＦＬＥ，ＦＬＢ，ＦＬＤシリーズ）：カヤバ工業株式会社製を使用することが可能である。
【００８８】
このような構成とすることにより、載置部材１４ａ，１４ｂの位置が上下に無段階で調整可能とされているのみならず、長孔９４内を伸縮固定サポート部材８４Ａの下端部９８ａが摺動可能なので、載置部材１４ａ，１４ｂに載置される作業者Ｗの腕１２ａ，１２ｂの長さに合わせて腕の前後方向に該載置部材１４ａ，１４ｂの位置を調整が可能とされている。
【００８９】
なお、伸縮固定サポート部材８４Ａを支持具９６に係止させる構成としては、図２４（ａ）によく示される穿孔９２を図２４（ｂ）に示されるような長孔１０６とし、該長孔１０６に挿入されたボルト１０８を蝶ナット１１０で螺着せしめることにより、伸縮固定サポート部材８４Ａを支持具９６に係止させる構成とすることも可能である。
【００９０】
図２４（ｂ）に示す構成とした場合には、伸縮固定サポート部材８４Ａが長孔９４及び１０６の範囲内で平行に摺動可能とされ、かつ伸縮固定サポート部材８４Ａが揺動可能とされるので、図２４（ａ）に示す構成よりもさらにまくら手段２０Ｅの傾きや前後方向への微調整が可能となる。
【００９１】
次に、本発明の第７の実施の形態を図２６〜図３０に基づき説明する。
【００９２】
図２６〜図３０において、符号１０Ｇは本発明の腕の疲労軽減装置を示す。該疲労軽減装置１０Ｇは、作業者Ｗの腕１２ａ，１２ｂを載置する載置部材１４ａ，１４ｂと該載置部材１４ａ，１４ｂを下方から支持するアーム部１６Ｆと、該アーム部１６Ｆの下方に設けられ伸縮可能かつ固定可能な伸縮固定サポート部材８４Ｂからなるまくら手段２０Ｆと、該伸縮固定サポート部材８４Ｂを作業者Ｗに装着するための装着手段２４とを有し、前記伸縮固定サポート部材８４Ｂを伸縮せしめることにより、前記載置部材１４ａ，１４ｂの位置を上下に無段階で調整可能とされている。
【００９３】
図２７によく示されるように、該アーム部１６Ｆは第一アーム部１２６ａ及び第二アーム部１２６ｂからなり、その端部は逆Ｔ字状部１２８ａ，１２８ｂとされている。該逆Ｔ字状部１２８ａ，１２８ｂには、図２９によく示される如く、長孔１３０が設けられており、該長孔１３０にはボルト１３４が挿入され、伸縮固定サポート部材８４Ｂの上端部１３２ａ，１３２ｂがボルト１３４，ナット１３６によって、摺動自在に螺着せしめられている。
【００９４】
一方、図２７によく示されるように、逆Ｔ字状部１２８ａ，１２８ｂの上端部はボルト１３８，ナット１４０によって連結されている。図２８に示す符号１７６は連結ロッドであって、装着手段２４に結合ピン１４２によって固着され該逆Ｔ字状部１２８ａ，１２８ｂに連結されており、まくら手段２０Ｆの位置を安定させる役目を担っている。
【００９５】
装着手段２４は支持具１４４を有しており、該支持具１４４には伸縮固定サポート部材８４Ｂの下端部１４６がボルト１４８及びナット１５０によって固定される。なお、この伸縮固定サポート部材８４Ｂを装着手段２４に固定させる構成としては、図示例以外にも上述した図２４（ａ）（ｂ）に示される構成を採用することができることはいうまでもない。
【００９６】
前記伸縮固定サポート部材８４Ｂとしては、例えばガススプリング（ＫＹＢガススプリング（フリーピストンタイプ：ＫＢＦシリーズ等）：カヤバ工業株式会社製）を使用することができる。
【００９７】
このような構成とすることにより、載置部材１４ａ，１４ｂの位置が上下に無段階で調整可能とされているのみならず、長孔１３０内を伸縮固定サポート部材８４Ｂの上端部１３２ａ，１３２ｂが摺動可能なので、載置部材１４ａ，１４ｂに載置される作業者Ｗの腕１２ａ，１２ｂの長さに合わせて腕の前後方向に該載置部材１４ａ，１４ｂの位置を調整が可能とされている。
【００９８】
次に、本発明の第８の実施の形態を図３１〜図３４に基づき説明する。
【００９９】
図３１〜図３４において、符号１０Ｈは本発明の腕の疲労軽減装置を示す。該疲労軽減装置１０Ｈは、作業者Ｗに装着される装着手段２４と、該装着手段２４にその一端部である下端部１５２が取りつけられる支持棒１５４Ａと該支持棒１５４Ａの他端部である上端部１５６ａに回動可能に枢着される剪定部材１５８とを有する剪定手段１８２Ａ、とからなっている。
【０１００】
該装着手段２４に支持棒１５４Ａの下端部１５２が揺動固定可能に係止される構成を図３３に示す。図３３において、装着手段２４は穿孔１６０及び円弧状とされた長孔１６２を有する支持具１６４を有しており、該支持具１６４の穿孔１６０に前記支持棒１５４Ａの下端部１５２がそれぞれ固定回転中心ピン１６６、蝶ナット１６８及びボルト１６９によって係止せしめられている。また、該穿孔１６０を長孔とすることにより、支持棒１５４Ａが該穿孔１６０及び長孔１６２の範囲内を平行に摺動可能とする構成が可能であることはいうまでもない。
【０１０１】
剪定部材１５８は、先端に枝切り部１７８、後端に握り部１８０を有し、支持棒１５４Ａの上端部１５６ａに螺着された被枢着部材１７０に回動可能に枢着される枢着部材１７２をさらに有している。該被枢着部材１７０に枢着部材１７２が回動可能に枢着されることにより、剪定部材１５８は任意の方向に回動自在とされており、作業者Ｗが握り部１８０を握ったり離したりすることにより枝切り部１７８が開閉される。
【０１０２】
また、前記した支持棒１５４Ａとしては、例えば、前記した第６及び第７の実施の形態で使用した伸縮固定サポート部材８４Ａ及び８４Ｂをその基端部に使用することができる。このようにすれば、前記剪定部材１５８の位置を上下に無段階で調整可能とすることができるのでなお好ましい。
【０１０３】
次に、本発明の第９の実施の形態を図３５及び図３６に基づき説明する。
図３５及び図３６において、符号１０Ｉは本発明の腕の疲労軽減装置を示す。該疲労軽減装置１０Ｉは、剪定部材１５８と該剪定部材１５８を回動可能に枢着する支持棒１５４Ｂとを有する剪定手段１８２Ｂと、該剪定手段１８２Ｂを支持する支持手段２２と、該支持手段２２を作業者Ｗに装着するための装着手段２４とを有している。該支持手段２２は装着手段２４に取りつけられた支持手段固着具２３ａ，２３ｂによって固定されている。
【０１０４】
剪定部材１５８は、先端に枝切り部１７８、後端に握り部１８０を有し、支持棒１５４Ｂの上端部１５６ｂに螺着された被枢着部材１７０に回動可能に枢着される枢着部材１７２をさらに有している。該被枢着部材１７０に枢着部材１７２が回動可能に枢着されることにより、剪定部材１５８は任意の方向に回動自在とされており、作業者Ｗが握り部１８０を握ったり離したりすることにより枝切り部１７８が開閉される。
【０１０５】
該支持棒１５４Ｂの下端部には上述した図４及び図５によく示される構成と同様にして、凹溝３８が形成され、該凹溝３８には該支持手段２２が矢印Ａ（図５）に示されるように着脱自在に挿通されており、該剪定手段１８２Ｂが上下方向に摺動停止可能とされている。これにより、作業者Ｗが剪定手段１８２Ｂを必要に応じて支持手段２２から簡単に取り外すことができ、この取り外した剪定手段１８２Ｂを必要に応じて再度取りつけることができる。
【０１０６】
また、剪定手段１８２Ｂを取り外した場合には、前記したまくら手段２０Ａや薬液収容器４０Ａ，４０Ｂ，４０Ｃを代わりに取りつけることが可能である。即ち、支持手段２２及び装着手段２４を兼用して用いることができるので、作業者Ｗは必要に応じて剪定手段１８２Ｂ又はまくら手段２０Ａ或いは薬液収容器４０Ａ，４０Ｂ，４０Ｃとを適宜選択して取りつけることが可能であり、大変便利であるのみならず、製造コストも低減されるという利点がある。
【０１０７】
上述した構成を採用することにより、建設作業の天井壁の塗装、釘打ち、天井への絵付け、高い枝の枝切りなどの剪定作業或いは葡萄、りんご、梨等の果実の収穫、袋かけ、消毒、薬液浸漬作業等の高い位置での手作業において、長時間腕を使用していても疲れることはなく、肉体的疲労が緩和され、作業能率が向上する。
【０１０８】
【発明の効果】
以上説明したように本発明の腕の疲労軽減装置によれば、▲１▼腕の長さの異なる不特定の人に対応させることができ、▲２▼腕を載置するためのまくら手段を必要に応じて取り外すことができ、▲３▼腕を載置するためのまくら手段の高さをより簡便に上下に調整可能とでき、▲４▼薬液への浸漬作業の肉体的疲労を効果的に軽減し、かつ▲５▼高い場所にある枝の枝切りなどの作業の肉体的疲労を効果的に軽減するという著大な効果を奏する。
【図面の簡単な説明】
【図１】本発明の腕の疲労軽減装置の第１の実施の形態を示す側面図である。
【図２】本発明の腕の疲労軽減装置の第１の実施の形態を示す正面図である。
【図３】本発明の腕の疲労軽減装置の第１の実施の形態を示す背面図である。
【図４】図１の要部拡大図であって、（ａ）はまくら手段が摺動可能な状態、（ｂ）はまくら手段が停止している状態をそれぞれ示す。
【図５】図４（ａ）のＶ−Ｖ線断面図である。
【図６】本発明の腕の疲労軽減装置の第２の実施の形態を示す側面図である。
【図７】本発明の腕の疲労軽減装置の第２の実施の形態を示す正面図である。
【図８】本発明の薬液収容器の一つの例を示す斜視図である。
【図９】本発明の薬液収容器の一つの例を示す正面図である。
【図１０】図９の平面図である。
【図１１】本発明の薬液収容器の他の例を示す正面図である。
【図１２】本発明の腕の疲労軽減装置の第３の実施の形態を示す側面図である。
【図１３】本発明の腕の疲労軽減装置の第３の実施の形態を示す正面図である。
【図１４】本発明の薬液収容器の別の例を示す説明図であって、（ａ）は薬
液収容体が下がっている状態、（ｂ）は薬液収容体が（ａ）よりも上がった状態、（ｃ）は薬液収容体が（ｂ）よりも上がった状態をそれぞれ示す。
【図１５】本発明の薬液収容器の別の例を示す平面図である。
【図１６】本発明の腕の疲労軽減装置の第４の実施の形態を示す側面図である。
【図１７】本発明の腕の疲労軽減装置の第４の実施の形態を示す正面図である。
【図１８】本発明の腕の疲労軽減装置の第５の実施の形態を示す側面図である。
【図１９】本発明の腕の疲労軽減装置の第５の実施の形態を示す正面図である。
【図２０】図１８の要部拡大説明図である。
【図２１】本発明の腕の疲労軽減装置の第６の実施の形態を示す正面図である。
【図２２】本発明の腕の疲労軽減装置の第６の実施の形態を示す背面図である。
【図２３】本発明の腕の疲労軽減装置の第６の実施の形態を示す側面図である。
【図２４】図２３のＸＸＩＶ部分拡大図であって（ａ）は支持具に穿孔及び長孔を設けた場合、（ｂ）は支持具に長孔を２つ平行に設けた場合をそれぞれ示す。
【図２５】本発明の腕の疲労軽減装置の第６実施の形態を示す平面図であって、（イ）は腕が標準的大きさの場合、（ロ）は腕が比較的小さい場合、（ハ）は腕が比較的大きい場合をそれぞれ示す。
【図２６】本発明の腕の疲労軽減装置の第７の実施の形態を示す正面図である。
【図２７】図２６のＸＸＶＩＩ部分拡大図である。
【図２８】本発明の腕の疲労軽減装置の第７の実施の形態を示す側面図である。
【図２９】図２８のＸＸＩＸ部分拡大図である。
【図３０】本発明の腕の疲労軽減装置の第７の実施の形態を示す背面図である。
【図３１】本発明の腕の疲労軽減装置の第８の実施の形態を示す正面図である。
【図３２】本発明の腕の疲労軽減装置の第８の実施の形態を示す側面図である。
【図３３】図３２のＸＸＸＩＩＩ部分拡大図である。
【図３４】図３２のＸＸＸＩＶ部分拡大図である。
【図３５】本発明の腕の疲労軽減装置の第９の実施の形態を示す正面図である。
【図３６】本発明の腕の疲労軽減装置の第９の実施の形態を示す側面図である。
【符号の説明】
１０Ａ，１０Ｂ，１０Ｃ，１０Ｄ，１０Ｅ，１０Ｆ，１０Ｇ，１０Ｈ，１０Ｉ：腕の疲労軽減装置、１２ａ，１２ｂ：腕、１４ａ，１４ｂ：載置部材、１６Ａ，１６Ｂ，１６Ｃ，１６Ｄ，１６Ｅ，１６Ｆ：アーム部、１７：下部柱部、１８Ａ，１８Ｂ，１８Ｃ，１８Ｄ：サポート部材、２０Ａ，２０Ｂ，２０Ｃ，２０Ｄ，２０Ｅ，２０Ｆ：まくら手段、２２：支持手段、２３ａ，２３ｂ：支持手段固着具、２４：装着手段、２６ａ，２６ｂ：長孔、２８ａ，２８ｂ：ボルト、３０ａ，３０ｂ：ナット、３２：長孔、３４：蝶ナット、３６：固定回転中心ピン、３８：凹溝、４０Ａ，４０Ｂ，４０Ｃ：薬液収容器、４２Ａ，４２Ｂ，４２Ｃ，４２Ｄ：薬液収容器保持部材、４４：ハンドル部材、４６：平歯車部材、４８，５８，６２：基台、５０：ラック部材、５２，６０，６４：薬液収容体、５４ａ，５４ｂ：滑車部材、５６：ロープ部材、６６：パンタグラフ状昇降棒、６８：支点部、７０：交点部、７２ａ：第一アーム部、７２ｂ：第二アーム部、７４：切り欠き部、７６：下部柱部、７８：凹部、８０：凸部、８２：突端部、８４Ａ，８４Ｂ：伸縮固定サポート部材、８６ａ，８６ｂ：被係止部、８８ａ，８８ｂ：上端部、９０：ボルト、９１：ナット、９２：穿孔、９４：長孔、９６：支持具、９８ａ，９８ｂ：下端部、１００：固定回転中心ピン、１０２：蝶ナット、１０３：ボルト、１０４：プッシュロッド押し込みバー、１０６：長孔、１０８：ボルト、１１０：蝶ナット、１１２ａ，１１２ｂ：第一アーム部材、１１４ａ，１１４ｂ：第二アーム部材、１１６ａ，１１６ｂ：固定回転中心ピン、１１８ａ，１１８ｂ：蝶ナット、１２０ａ，１２０ｂ：ボルト、１２２ａ，１２２ｂ：穿孔、１２４ａ，１２４ｂ：円弧状長孔、１２６ａ：第一アーム部、１２６ｂ：第二アーム部、１２８ａ，１２８ｂ：逆Ｔ字状部、１３０：長孔、１３２ａ，１３２ｂ：上端部、１３４：ボルト、１３６：ナット、１３８：ボルト、１４０：ナット、１４２：結合ピン、１４４：支持具、１４６：下端部、１４８：ボルト、１５０：ナット、１５２：下端部、１５４Ａ，１５４Ｂ：支持棒、１５６ａ，１５６ｂ：上端部、１５８：剪定部材、１６０：穿孔、１６２：長孔、１６４：支持具、１６６：固定回転中心ピン、１６８：蝶ナット、１６９：ボルト、１７０：被枢着部材、１７２：枢着部材、１７４：基端部、１７６：連結ロッド、１７８：枝切り部、１８０：握り部、１８２Ａ，１８２Ｂ：剪定手段、Ｐ：平行四辺形、Ｗ：作業者。
【図１】
2004298971.tif 000003
【図２】
2004298971.tif 000004
【図３】
2004298971.tif 000005
【図４】
2004298971.tif 000006
【図５】
2004298971.tif 000007
【図６】
2004298971.tif 000008
【図７】
2004298971.tif 000009
【図８】
2004298971.tif 000010
【図９】
2004298971.tif 000011
【図１０】
2004298971.tif 000012
【図１１】
2004298971.tif 000013
【図１２】
2004298971.tif 000014
【図１３】
2004298971.tif 000015
【図１４】
2004298971.tif 000016
【図１５】
2004298971.tif 000017
【図１６】
2004298971.tif 000018
【図１７】
2004298971.tif 000019
【図１８】
2004298971.tif 000020
【図１９】
2004298971.tif 000021
【図２０】
2004298971.tif 000022
【図２１】
2004298971.tif 000023
【図２２】
2004298971.tif 000024
【図２３】
2004298971.tif 000025
【図２４】
2004298971.tif 000026
【図２５】
2004298971.tif 000027
【図２６】
2004298971.tif 000028
【図２７】
2004298971.tif 000029
【図２８】
2004298971.tif 000030
【図２９】
2004298971.tif 000031
【図３０】
2004298971.tif 000032
【図３１】
2004298971.tif 000033
【図３２】
2004298971.tif 000034
【図３３】
2004298971.tif 000035
【図３４】
2004298971.tif 000036
【図３５】
2004298971.tif 000037
【図３６】
2004298971.tif 000038